(57)【要約】【課題】高地等の気圧が低い地域においても、騒音が抑えられたプラズマディスプレイ装置を提供することを目的としている。【解決手段】複数の表示電極を配置した前面基板１と前記表示電極に交差するようにデータ電極を配置した背面基板２との間に放電空間が形成されるように対向配置した状態にパネルを封着する際、封着部材１１に弾性を有する弾性体を使用することにより、高地における騒音レベルを抑制することができるものである。【選択図】図３
2009283269.tif 000002
【特許請求の範囲】
【請求項１】
空間を挟んで対向配置された前面板と背面板からなり、前記背面板には複数のデータ電極とデータ電極を覆う第１の誘電体層と放電空間を仕切るためのリブが配置され、前記前面板には前記データ電極と交差する走査電極と維持電極で対をなす複数の表示電極と、前記表示電極を覆う第２の誘電体層が形成され、前記前面板と前記背面板の周囲を封着部材で封着されたプラズマディスプレイパネルであって、
前記封着部材が弾性変形可能な程度の弾性を有する弾性体であることを特徴とするプラズマディスプレイパネル。
【請求項２】
空間を挟んで対向配置された前面板と背面板からなり、前記背面板には複数のデータ電極とデータ電極を覆う第１の誘電体層と放電空間を仕切るためのリブが配置され、前記前面板には前記データ電極と交差する走査電極と維持電極で対をなす複数の表示電極と、前記表示電極を覆う第２の誘電体層が形成され、前記前面板と前記背面板の周囲を封着部材で封着されたプラズマディスプレイパネルであって、
前記封着部材が弾性変形可能な程度のバネ弾性を有することを特徴とするプラズマディスプレイパネル。
【発明の詳細な説明】
【技術分野】
【０００１】
本発明は、プラズマディスプレイパネル（以下、パネルという）を表示デバイスとして用いたプラズマディスプレイ装置に関するものである。
【背景技術】
【０００２】
このプラズマディスプレイ装置に用いられるパネルは、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のものである。
【０００３】
この面放電型のパネル構造について説明する。２枚のガラス基板の内、一方のガラス基板である前面板１には透明電極膜が形成され、この透明電極を通して発光を得ることが出来る。透明電極には部分的に金属からなる電極を並行して付加し、大きな放電電流を流すことを可能としている。またこれらの電極上には透明な低融点ガラスからなる誘電体が形成され、さらにその上層には耐スパッタリング性能を高め、同時に放電特性を安定させるためにＭｇＯなどの薄膜が誘電体保護層６として形成されている。
【０００４】
そして他方の板ガラスである背面板２には個々の放電セルを形成するためのストライプ状あるいは井桁状の隔壁が形成され、赤、緑、青に対応した蛍光体がセル内に塗布形成されている。蛍光体層の下には誘電体層が形成され、さらにその下層にはアドレス電極が形成されている。
【０００５】
このような構成の前面板と背面板とを封着材で接合し、放電空間内の雰囲気をキセノン（Ｘｅ）、ネオン（Ｎｅ）、ヘリウム（Ｈｅ）等からなる放電ガスで常圧よりも低い圧力に置換されている。
【０００６】
また、パネルはアルミニウムなどの金属製のシャーシ部材の前面側に保持させ、そのシャーシ部材の背面側にパネルを発光させるための駆動回路を構成する回路基板を配置することによりモジュールを構成している。
【０００７】
パネルを表示させるための一般的な駆動方法としては、サブフィールド法、すなわち、映像信号の１フィールド期間を輝度の重み付けを有する複数のサブフィールドに分割し、放電を起こすサブフィールドを組み合わせることで映像信号の階調を表示する方法で行う。ここで、サブフィールドは、セル内に所定の壁電荷を形成するための初期化放電を発生させる初期化期間、点灯させるべきセルを選択するアドレス放電を発生させるアドレス期間、および選択したセルにおいて維持放電を発生させる放電維持期間を有し、維持放電に伴う発光により画像を表示する。また、画面中の点灯する面積に応じて、１階調あたりの輝度を決める放電維持回数を変え、省電力と高輝度を両立させている。
【０００８】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【特許文献１】特開平１０−１９４５５６号公報
【発明の開示】
【発明が解決しようとする課題】
【０００９】
ＰＤＰはその構造上、外気圧が低下するとパネルの内外圧差が小さくなり、パネル内の放電空間に隙間が生じやすくなる。そのため、標高が高い地域などの低気圧環境では２枚の板ガラスの間に隙間が生じ、実動作中の放電によるガラス基板の振動により、人に聞こえる騒音が発生する課題があった。
【００１０】
ところで、図４にはパネル製造に関しパネル製造過程である封着工程を示している。空間を挟んで対向配置された前面板１と背面板２とを挟みこむようにして圧力を加えた状態（図４（ａ））で、封着部材１１を高温で融解し封着する。パネル面内で温度差が発生し、パネル化後の封着部材１１の厚みがパネル周辺でばらついたり、局所的に厚みが薄くなったりする（図４（ｂ）、図４（ｃ））。そして封着部材１１の厚みのばらつきや局所的な厚み変化が、放電空間に隙間を生じやすくさせている（図４（ｄ））。しかし、上記厚みのばらつきや局所的な厚み変化の制御は、パネルの大型化に伴い困難になっている。
【課題を解決するための手段】
【００１１】
この課題を解決するために本発明は、複数の表示電極を配置した前面基板と前記表示電極に交差するようにデータ電極を配置した背面基板との間に放電空間が形成されるように対向配置した状態にパネルを封着する際、封着部材に弾性を有する弾性体を使用することを特徴とする。
【発明の効果】
【００１２】
本発明によれば、高地等の気圧が低い地域においても、騒音が抑えられたプラズマディスプレイ装置を得ることができる。
【発明を実施するための最良の形態】
【００１３】
以下、本発明の一実施の形態によるプラズマディスプレイ装置について、図１、図２、図３を用いて説明するが、本発明の実施の態様はこれに限定されるものではない。
【００１４】
まず、プラズマディスプレイ装置におけるパネルの構造について図１を用いて説明する。図１に示すように、パネルは、ガラス製の前面基板１と背面基板２とを、その間に放電空間を形成するように対向配置することにより構成されている。前面基板１上には表示電極を構成する走査電極３と維持電極４とが互いに平行に対をなして複数形成されている。そして、走査電極３および維持電極４を覆うように誘電体層５が形成され、誘電体層５上には保護層６が形成されている。
【００１５】
また、背面基板２上には絶縁体層７で覆われた複数のデータ電極８が設けられ、その絶縁体層７上には井桁状の隔壁９が設けられている。また、絶縁体層７の表面および隔壁９の側面に蛍光体層１０が設けられている。そして、走査電極３および維持電極４とデータ電極８とが交差するように前面基板１と背面基板２とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１６】
次に、パネルを駆動するための駆動電圧波形とその動作について図２を用いて説明する。図２はパネルの各電極に印加する駆動電圧波形を示す図であり、ＳＣ１〜ＳＣｎは走査電極、ＳＵ１〜ＳＵｎは維持電極、Ｄ１〜Ｄｍはデータ電極から印加する波形を表している。
【００１７】
本実施の形態によるプラズマディスプレイ装置においては、１フィールドを複数のサブフィールドに分割し、それぞれのサブフィールドは初期化期間、書込み期間、維持期間を有している。維持期間のパルス数は階調表示に対応する様にサブフィールド毎に重み付けされており、重みの異なるサブフィールドを組み合わせることで映像信号の階調を表示する。更に画面中の点灯する面積によって１階調あたりの輝度を決める維持パルス数を変え、省電力と高輝度を両立させている。
【００１８】
次に、本実施の形態によるパネルの特徴部分について、図３を用いて詳細に説明する。      
【００１９】
複数の表示電極（図示せず）を配置した前面基板１と表示電極に交差するようにデータ電極を配置した背面基板２との間に放電空間が形成されるように対向配置した状態にパネルを固定（封着）する際、封着部材１１に弾性、バネ弾性を有する弾性体（例えば、特殊高分子を主成分にして高性能粘着液状ガスケットやシリコーンゴムを基剤とした粘弾形シリコーン系液状ガスケット等の耐熱性に優れ、またパネル内部のガスを完全にシールすることができる封着部材）を使用する。
【００２０】
封着部材１１を使用することで、図３のように封着後、パネルや封着部材１１にかかるストレスを分散することができ、パネル化後の封着部材１１の厚みのばらつきや局所的な厚み変化を緩和することができ（図３（ａ）、図３（ｂ）、図３（ｃ）、図３（ｄ））、これにより高地及び低気圧環境下においてパネル内の放電空間にできる隙間を最小限にすることを可能とする。なお、本発明はこれら図面および実施の形態に限定されることを意図しない。
【産業上の利用可能性】
【００２１】
以上のように本発明は、大画面、高精細のプラズマディスプレイ装置を提供する上で有用な発明である。
【図面の簡単な説明】
【００２２】
【図１】本発明の一実施の形態によるプラズマディスプレイパネルの要部を示す斜視図
【図２】同プラズマディスプレイパネルの各電極に印加する駆動電圧波形を示す波形図
【図３】本発明のプラズマディスプレイパネルの封着部位形状を示す断面図
【図４】従来のプラズマディスプレイパネル内の封着部位形状を示す断面図
【符号の説明】
【００２３】
１  前面基板
２  背面基板
３  走査電極
４  維持電極
５  誘電体層
６  保護層
７  絶縁体層
８  データ電極
９  隔壁
１０  蛍光体層
１１  封着部材
【図１】
2009283269.tif 000003
【図２】
2009283269.tif 000004
【図３】
2009283269.tif 000005
【図４】
2009283269.tif 000006